(57)【特許請求の範囲】
【請求項１】
給湯器からの温水又は非加熱水を浴槽に自動落とし込み給湯する場合における浴槽の排水栓の閉め忘れ等による落とし込み異常を監視する装置であって、落とし込み流量を検出する落とし込み流量センサと、落とし込みが浴槽の追い焚き循環可能水位に達したか否かを判定する循環可能水位判定手段と、追い焚き循環可能水位以上における浴槽水位を検出する浴槽水位センサと、落とし込みが浴槽の追い焚き循環可能水位に達した後における一定水位の上昇に要した積算流量値を１乃至複数個用いて浴槽水位が一定水位上昇するのに要する落とし込み積算流量値を学習すると共にその学習値に一定流量値を加算した流量値を判定基準流量値として演算する判定基準流量値演算手段と、演算された判定基準流量値を記憶する判定基準流量値記憶手段と、今回における追い焚き循環可能水位に達した後における積算流量値が前記判定基準流量値以上になる前に一定水位上昇したか否かにより落とし込み異常を判定する落とし込み異常判定手段とを有することを特徴とする風呂落とし込み異常監視装置。
【請求項２】
給湯器からの温水又は非加熱水を浴槽に自動落とし込み給湯する場合における浴槽の排水栓の閉め忘れ等による落とし込み異常を監視する装置であって、落とし込み流量を検出する落とし込み流量センサと、落とし込みが浴槽の追い焚き循環可能水位に達したか否かを判定する循環可能水位判定手段と、追い焚き循環可能水位以上における浴槽水位を検出する浴槽水位センサと、落とし込みが浴槽の追い焚き循環可能水位に達した後における落とし込みの時間をカウントするタイマー手段と、落とし込みが浴槽の追い焚き循環可能水位に達した後における一定水位の上昇に要した時間を１乃至複数個用いて浴槽水位が一定水位上昇するのに要する時間を学習すると共にその学習値に一定時間を加算した時間を判定基準時間として演算する判定基準時間演算手段と、演算された判定基準時間を記憶する判定基準時間記憶手段と、今回における追い焚き循環可能水位に達した後における積算落とし込み時間が前記判定基準時間以上になる前に一定水位上昇したか否かにより落とし込み異常を判定する落とし込み異常判定手段とを有することを特徴とする風呂落とし込み異常監視装置。
【請求項３】
落とし込み異常判定手段により落とし込み異常と判定された場合に、落とし込み停止指令と落とし込み異常表示指令を出す安全指令手段を有する請求項１又は２に記載の風呂落とし込み異常監視装置。
【発明の詳細な説明】
【０００１】
【発明の属する技術分野】
給湯器から浴槽に自動落とし込みを行う場合において、浴槽栓の閉め忘れ等によって給湯水が漏出する等の落とし込み異常を監視する風呂落とし込み異常監視装置に関する。
【０００２】
【従来の技術】
従来、給湯器からの温水や水を浴槽へ自動落とし込みする場合においては、浴槽の排水栓の閉め忘れ等による落とし込み異常の検出方法として、一定の制限時間、例えば30分以上の十分長い時間を採用して、その時間が経過しても水位が水位検出可能な追い焚き循環可能水位以上にならない場合には、落とし込みに異常があると判定していた。また水位検出可能な追い焚き循環可能水位に達した後においても、一定の十分に長い制限時間、例えば30分が経過しても設定水位にならない場合には、落とし込みに異常があると判定していた。
【０００３】
【発明が解決しようとする課題】
ところが上記のような従来の落とし込み異常の判定方法においては、排水栓が完全には閉められていないが少し閉まっている場合や排水栓が少し詰まっていて排水能力が小さくなっている場合等において、落とし込み流量の方が排水量を上回るため、落とし込みを行っている限り水位が徐々に増加し、前記制限時間以内には追い焚き循環可能水位を上回る水位となり、また前記制限時間以内には設定水位に達するものの、排水異常と判定されないことから落とし込みが終了した後も漏水が継続し、結局大量の水が無駄になるといったことも生じる問題があった。そして前記制限時間は、浴槽の容量が種類や落とし込み水量を考慮すると、その最大公約数的な数値になるので、どうしても大きな値となる問題があった。
【０００４】
そこで本発明は、上記従来における落とし込み異常検出の問題を解消し、無駄となる水の量を出来るだけ減じ、漏水等による落とし込み異常をより短時間で確実に判定して監視することができる風呂落とし込み異常監視装置の提供を課題とする。
【０００５】
【課題を解決するための手段】
上記課題を達成するため、本発明の風呂落とし込み異常監視装置は、給湯器からの温水又は非加熱水を浴槽に自動落とし込み給湯する場合における浴槽の排水栓の閉め忘れ等による落とし込み異常を監視する装置であって、落とし込み流量を検出する落とし込み流量センサと、落とし込みが浴槽の追い焚き循環可能水位に達したか否かを判定する循環可能水位判定手段と、追い焚き循環可能水位以上における浴槽水位を検出する浴槽水位センサと、落とし込みが浴槽の追い焚き循環可能水位に達した後における一定水位の上昇に要した積算流量値を１乃至複数個用いて浴槽水位が一定水位上昇するのに要する落とし込み積算流量値を学習すると共にその学習値に一定流量値を加算した流量値を判定基準流量値として演算する判定基準流量値演算手段と、演算された判定基準流量値を記憶する判定基準流量値記憶手段と、今回における追い焚き循環可能水位に達した後における積算流量値が前記判定基準流量値以上になる前に一定水位上昇したか否かにより落とし込み異常を判定する落とし込み異常判定手段とを有することを第１の特徴としている。
また本発明の風呂落とし込み異常監視装置は、給湯器からの温水又は非加熱水を浴槽に自動落とし込み給湯する場合における浴槽の排水栓の閉め忘れ等による落とし込み異常を監視する装置であって、落とし込み流量を検出する落とし込み流量センサと、落とし込みが浴槽の追い焚き循環可能水位に達したか否かを判定する循環可能水位判定手段と、追い焚き循環可能水位以上における浴槽水位を検出する浴槽水位センサと、落とし込みが浴槽の追い焚き循環可能水位に達した後における落とし込みの時間をカウントするタイマー手段と、落とし込みが浴槽の追い焚き循環可能水位に達した後における一定水位の上昇に要した時間を１乃至複数個用いて浴槽水位が一定水位上昇するのに要する時間を学習すると共にその学習値に一定時間を加算した時間を判定基準時間として演算する判定基準時間演算手段と、演算された判定基準時間を記憶する判定基準時間記憶手段と、今回における追い焚き循環可能水位に達した後における積算落とし込み時間が前記判定基準時間以上になる前に一定水位上昇したか否かにより落とし込み異常を判定する落とし込み異常判定手段とを有することを第２の特徴としている。
また本発明の風呂落とし込み異常監視装置は、上記第１又は第２の特徴に加えて、落とし込み異常判定手段により落とし込み異常と判定された場合に、落とし込み停止指令と落とし込み異常表示指令を出す安全指令手段を有することを第３の特徴としている。
【０００６】
上記本発明の第１の特徴によれば、給湯器により温水又は非加熱水による風呂落とし込みが開始されると、循環可能水位判定手段によって、浴槽水位が追い焚き循環可能水位に達したか否かが監視される。循環可能水位判定手段によって、浴槽水位が追い焚き循環可能水位に達したのが判定されると、その後における落とし込みについて、落とし込み流量センサにより落とし込み積算流量が検出され、また浴槽水位センサにより浴槽水位が検出される。そして落とし込み異常判定手段は、前記浴槽水位センサによる水位情報を受けつつ、判定基準流量値記憶手段からの判定基準流量値と、前記落とし込み流量センサにより検出される落とし込み積算流量値との大小を比較し、浴槽水位が一定水位上昇する前に落とし込み積算流量値が判定基準流量値以上になった場合には、落とし込み異常と判定する。
前記判定基準流量値は、判定基準流量値演算手段によって演算され、判定基準流量値記憶手段に記憶される。
【０００７】
判定基準流量値演算手段による判定基準流量値の演算は、落とし込み異常であると判定されなかった場合（即ち、落とし込みが正常に行われた場合）における一定水位の上昇に要した検出積算流量値を、例えば過去の１回乃至複数回にわたって採用して、それらの値から演算することができる。
即ち、過去の１回だけの検出積算流量値を採用する場合は、例えば装置を設置した際の試運転において得た値を一定水位の上昇、例えば２．５ｃｍ上昇するのに要する落とし込み積算流量値として学習させ、その値を学習値とし、これに余裕値としての一定流量値、例えば５リットル程度の少ない流量値を加えて、判定基準流量値と決定し、これを記憶させるようにすることができる。また落とし込み異常であると判定されなかった前回における追い焚き循環可能水位に達するまでの検出積算流量値を学習値とし、これに余裕値としての一定流量値を加えて判定基準流量値とすることができる。前記一定水位上昇の値は実験に基づいて適当に定めることができる。またその水位上昇の一定値に応じて、前記余裕値として加えられる一定流量値にも実験値に基づいて適当に定められる。
一方、過去の複数回の検出積算流量値を採用する場合は、装置を設置した際に複数回、例えば３回や５回にわたって試運転を行い、落とし込みが正常に行われた複数回における一定水位の上昇に要した検出積算流量値を採用し、これらの平均値を学習値とし、この学習値に余裕値として一定流量値、例えば５リットル程度の少ない流量値を加えて、判定基準流量値と決定し、これを記憶させるようにすることができる。また、落とし込み異常であると判定されなかった過去に逆上る複数回分の運転において得た一定水位の上昇に要した検出積算流量値を採用し、これらの平均値を学習値とし、この学習値に余裕値として一定流量値を加えて判定基準流量値とすることができる。この場合には、当初における一定水位の上昇に要した検出積算流量値として複数個の仮の値を与えておく必要がある。この仮の値は大きい値であっても、落とし込み運転を重ねてゆくことで、前記複数回の正常な落とし込みが行われた後にはその浴槽に適切な判定基準流量値が演算されることになる。前記一定水位上昇の値、余裕値としての一定流量値、初期値として与える仮の値については、予め実験によって適当な値を決めることができる。
上記第１の特徴によれば、落とし込みが追い焚き循環可能水位以上になった後において、さらに多量の落とし込みを行ってしまうことなく、落とし込み異常の有無を確実に判定することができる。
【０００８】
上記本発明の第２の特徴によれば、給湯器により温水又は非加熱水による風呂落とし込みが開始され、循環可能水位判定手段によって、浴槽水位が追い焚き循環可能水位に達したのが判定されると、その後における落とし込みについて、落とし込み流量センサにより落とし込み積算流量が検出され、また浴槽水位センサにより浴槽水位が検出され、またタイマー手段により落とし込みの時間がカウントされる。そして落とし込み異常判定手段は、前記浴槽水位センサによる水位情報と前記タイマー手段による落とし込み時間の情報を受けつつ、判定基準流量値記憶手段からの判定基準時間と、前記タイマー手段によりカウントされる落とし込み時間との大小を比較し、浴槽水位が一定水位上昇する前に落とし込み時間が判定基準流量値以上になった場合には、落とし込み異常と判定する。
判定基準時間演算手段による判定基準時間の演算は、落とし込み異常であると判定されなかった場合（即ち、落とし込みが正常に行われた場合）における一定水位の上昇に要した落とし込み時間を、例えば過去の１回乃至複数回にわたって採用して、それらの時間から演算することができる。
即ち、過去の１回だけの一定水位の上昇に要した落とし込み時間を採用する場合は、例えば装置を設置した際の試運転において得た、一定水位の上昇に要した落とし込み時間を一定水位の上昇、例えば２．５ｃｍ上昇するのに要する落とし込み時間として学習させ、その値を学習値とし、これに余裕値としての一定落とし込み時間、例えば１分程度の少ない時間を加えて、判定基準時間と決定し、これを記憶させるようにすることができる。また落とし込み異常であると判定されなかった前回における一定水位の上昇に要した落とし込み時間を学習値とし、これに余裕値としての一定時間を加えて判定基準時間とすることができる。前記一定水位の上昇における一定水位は実験に基づいて適当に定めることができる。またその水位上昇の一定値に応じて前記余裕値として加えられる一定時間も実験に基づいて適当に定められる。
一方、過去の複数回の一定水位の上昇に要した落とし込み時間を採用する場合は、装置を設置した際に複数回、例えば３回や５回にわたって試運転を行い、落とし込みが正常に行われた複数回における一定水位の上昇に要した落とし込み時間を採用し、これらの平均値を学習値とし、この学習値に余裕値として一定時間、例えば１分程度の少ない時間を加えて、判定基準時間と決定し、これを記憶させるようにすることができる。また、落とし込み異常であると判定されなかった過去に逆上る複数回分の運転において得た一定水位の上昇に要した落とし込み時間を採用し、これらの平均値を学習値とし、この学習値に余裕値として一定時間を加えて判定基準時間とすることができる。この場合には、当初における一定水位の上昇に要した落とし込み時間として複数個の仮の値を与えておく必要がある。この仮の値は大きい値であっても、落とし込み運転を重ねてゆくことで、前記複数回の正常な落とし込みが行われた後にはその浴槽に適切な判定基準時間が演算されることになる。前記一定水位の上昇における一定水位の値、余裕値としての一定時間、初期値として与える仮の値については、予め実験によって適当な値を決めることができる。
上記第２の特徴によれば、落とし込みが追い焚き循環可能水位以上になった後において、さらに長い落とし込み時間の経過による多量の落とし込みを行ってしまう前に、落とし込み異常の有無を確実に判定することができる。
【０００９】
上記第３の特徴によれば、上記第１又は第２の特徴による作用、効果に加えて、落とし込み異常判定手段により落とし込み異常と判定された場合には、安全指令手段により、落とし込み停止指令と落とし込み異常表示指令が出される。よって落とし込み異常があった場合には、自動的に直ちに落とし込みを停止することができると共に落とし込み異常表示を直ぐさま知ることができ、落とし込み異常の原因の修復を行うことができる。
【００１０】
【発明の実施の形態】
図１は本発明の風呂落とし込み異常監視装置を用いた給湯装置の全体構成図である。図２は本発明の風呂落とし込み異常監視装置の第１の実施の形態に係るコントローラ内の制御構成を示すブロック図である。図３は本発明の風呂落とし込み異常監視装置の第１の実施の形態に係る制御例を示すフローチャートである。図４は本発明の風呂落とし込み異常監視装置の第２の実施の形態に係るコントローラ内の制御構成を示すブロック図である。図５は本発明の風呂落とし込み異常監視装置の第２の実施の形態に係る制御例を示すフローチャートである。図６は本発明の風呂落とし込み異常監視装置の第３の実施の形態に係るコントローラ内の制御構成を示すブロック図である。図７は本発明の風呂落とし込み異常監視装置の第３の実施の形態に係る制御例を示すフローチャートである。
【００１１】
先ず図１の給湯装置の全体を説明する。10は浴槽で、20は給湯器、30は風呂釜である。
前記浴槽10には排水栓11が設けられ、また追い焚き循環用の循環金具12が浴槽10側壁の真ん中よりも少し下の位置に設けられている。前記循環金具12を通って風呂自動落とし込み給湯も行われる。
前記風呂釜30には追い焚き用バーナ31が設けられ、また追い焚き用熱交換器32が設けられている。該追い焚き用熱交換器32と前記浴槽10の循環金具12との間に追い焚き用循環路33が設けられ、該追い焚き用循環路33には、水圧センサからなる浴槽水位センサ34、循環ポンプ35、水流スイッチ36、浴槽温度センサ37等が設けられている。
前記給湯器20には給湯用バーナ21が設けられ、また給湯用熱交換器22が設けられている。該給湯用熱交換器22には入水路23が接続され、入水路23には入水流量センサ24、入水温度センサ25が設けられている。また前記給湯用熱交換器22には出湯路26が接続され、出湯路26には出湯温度センサ27が設けられている。前記入水路23からは混水調節器29を有するバイパス28が出湯路26に接続し、その合流点において温水と非加熱水とが流量調節器29で混合され、合流点より下流が給湯路40となされている。給湯路40には水量調整器41と給湯温度センサ42とが設けられている。前記給湯路40は途中で一般給湯路43と風呂自動落とし込み給湯路44とに分岐している。
前記風呂自動落とし込み給湯路44は前記追い焚き用循環路33の途中に接続せられており、その途中に落とし込み流量センサ45、バキュームブレーカ46、落とし込み電磁弁47、逆止弁48を設けている。
50は給湯器全体の制御を行うコントローラで、60はリモコンである。コントローラ50はマイコンを内蔵し、リモコン60からの指令を受け、また給湯器各部のセンサ類からの情報を入力し、所定のソフトウエアに従って演算、判定、記憶を行い、また給湯器各部に動作指令を出す。
風呂自動落とし込みは、浴槽の設定水位がリモコン60等において設定され、自動落とし込み運転スイッチがリモコン等においてオンせられることによって行われる。落とし込み電磁弁47が開かれることで、給湯器20から出湯路26、風呂自動落とし込み給湯路44を経てきた温水或いは非加熱水が、追い焚き用循環路33に入り、追い焚き用循環路33を通って循環金具12から浴槽10に導入される。
【００１２】
前記風呂自動落とし込み運転において、浴槽10内に温水或いは非加熱水が順調に落とし込まれ、設定水位になった場合には、風呂自動落とし込みは終了する。一方、浴槽10の排水栓11をセットするのを忘れたり、セットの仕方が悪かったり、その他、浴槽10から漏水している場合もあるので、コントローラ50によりこれらの落とし込み異常を監視する。
【００１３】
図２、図３を参照して、本発明の風呂落とし込み異常監視装置の第１の実施の形態を説明する。図２は、コントローラ50の内部構成の内、風呂落とし込み異常監視装置に係る構成を示すブロック図で、循環可能水位判定手段51、判定基準流量値演算手段52、判定基準流量値記憶手段53、落とし込み異常判定手段54、安全指令手段55が内部構成されている。
循環可能水位判定手段51は、浴槽水位が追い焚き用循環路33の一部に設けた浴槽水位センサ34で検出できるような水位となったか否かを判定する手段である。この循環可能水位以上となれば、浴槽水位センサ34による水位検出が可能となる。その一方、循環可能水位未満においては、浴槽の水位を検出することはできない。循環可能水位は、前記浴槽10の循環金具12が水に浸かる水位ということができる。
循環可能水位判定手段51による判定は、浴槽水位センサ34による検出値の変曲点をとらえて判定する方法と、循環ポンプ35を定期的に駆動させて、浴槽水が現に追い焚き用循環路33に循環するかを判定する循環判定方法がある。
前記浴槽水位センサ34の検出値の変曲点を捕らえる方法は、浴槽10への落とし込み開始と同時に浴槽水位センサ34による検出値を循環可能水位判定手段51に取り込み、その検出値に一定の変曲点が生じた時点において浴槽水位が循環可能水位に達したと判定する方法である。追い焚き用循環路33にある浴槽水位センサ34の検出値は、浴槽水位が循環金具12に達してくると、水が徐々に追い焚き用循環路33に入ってくるので、それまでの追い焚き用循環路33が空の状態における検出値から大きく変化を開始し、変曲点を示す。そして浴槽水位が循環金具12を没する状態となることで、再び安定した変化を示すようになる。よって循環可能水位判定手段51により前記変曲点を捕らえることで、浴槽水位が追い焚き循環可能水位に達したか否かを判定することができる。
一方、循環判定方法は、浴槽10への落とし込み開始後、定期的に落とし込みを停止しては循環ポンプ35を駆動し、浴槽水が追い焚き用循環路33に循環するか否かを水流スイッチ36からの信号を捕らえて循環可能水位判定手段51が判定することになる。
【００１４】
前記判定基準流量値演算手段52は、風呂落とし込みが異常であるか否かの判定をするための判定基準流量値を演算する手段で、落とし込み異常であると判定されなかった場合（即ち落とし込みが正常に行なわれた場合）における追い焚き循環可能水位に達するまでの検出積算流量値を落とし込み流量センサ45から取り入れ、その追い焚き循環可能水位に達するまでの検出積算流量値を最近のものから過去に逆上る複数回分、例えば５回分採用し、これらの平均値を学習値とし、この学習値に余裕値として一定流量値、例えば30〜40リットルまでの適当な少ない流量値を加えて、判定基準流量値とするものである。この場合、当初においては採用する検出積算流量値がないので、代わりに複数個の仮の値、例えば一般的な浴槽の容量である200 リットルを、与えておく必要がある。この仮の値は大きい値であっても、落とし込み運転を重ねてゆくことで、前記複数回、例えば前記５回分の採用に対して５回の正常な落とし込みが行われた後にはその浴槽に適切な判定基準流量値が演算されることになる。
判定基準流量値が演算されると、その判定基準流量値は判定基準流量値記憶手段53に記憶される。
【００１５】
前記落とし込み異常判定手段54は、前記循環可能水位判定手段51によって浴槽水位が追い焚き循環可能水位に達したか否かの判定情報を受けつつ、判定基準流量値記憶手段53からの判定基準流量値と、前記落とし込み流量センサ45により検出される落とし込み積算流量値との大小を比較し、浴槽水位が追い焚き循環可能水位に達する前に落とし込み積算流量値が判定基準流量値以上になった場合には、落とし込み異常と判定する。
前記安全指令手段55は、落とし込み異常判定手段54による落とし込み異常の判定を受けて、リモコン60の表示部61に落とし込み異常である旨の表示を指令し、また落とし込み電磁弁47に閉止すべき指令を出して、自動落とし込み給湯を停止させる。
【００１６】
図３のフローチャートに従って、本発明の第１の実施の形態による風呂落とし込み異常の監視装置の制御例を説明する。
今、リモコン60の図示しない自動落とし込み運転スイッチがオンすることで、自動落とし込み運転が開始されると、コントローラ50の指令により落とし込み電磁弁47が開放され、落とし込み給湯が開始され、それと同時に落とし込み流量センサ45による落とし込み流量のカウントが開始される（ステップＳ１）。
落とし込み給湯運転が開始されると、落とし込み流量センサ45によって検出された積算流量値と判定基準流量値記憶手段53からの判定基準流量値とが落とし込み異常判定手段54で比較され（ステップＳ２）、また循環可能水位判定手段51による判定が落とし込み異常判定手段54に取り込まれて、浴槽水位が追い焚き循環可能水位以上か否かが判定される（ステップＳ３）。落とし込み異常判定手段54では前記積算流量値と判定基準流量値との比較をし、また浴槽水位が追い焚き循環可能水位以上か否かを取り込んで、浴槽水位が追い焚き循環可能水位以上になっていないのに、積算流量値が判定基準流量値以上になった場合には（Ｓ２でイエス、Ｓ３でノー）、落とし込み異常と判定する。落とし込み異常と判定されると、安全指令手段55によって落とし込み電磁弁47に閉止指令がなされ且つリモコン60に落とし込み異常の表示指令がなされることで、落とし込み給湯が停止され且つ落とし込み異常表示がなされる（ステップＳ４）。
一方、落とし込み異常判定手段54で落とし込み異常と判定されなかった場合（Ｓ２でノー、Ｓ３でイエス）には、判定基準流量値演算手段52により、その落とし込みでの追い焚き循環可能水位になるまでの積算流量値を新たに取り入れて、判定基準流量値を演算し、その値を判定基準流量値記憶手段53に記憶させる（ステップＳ５）。
その後、前記判定基準流量値の演算や記憶手続きとは別に、浴槽水位センサ34が設定水位以上を検出するか否かを監視し（ステップＳ６）、以上となれば（ステップＳ６でイエス）、落とし込み給湯運転を終了する（ステップＳ７）。
【００１７】
図４、図５を参照して、本発明の風呂落とし込み異常監視装置の第２の実施の形態を説明する。図４は、コントローラ50の内部構成の内、風呂落とし込み異常監視装置に係る構成を示すブロック図で、循環可能水位判定手段51a 、判定基準流量値演算手段52a 、判定基準流量値記憶手段53a 、落とし込み異常判定手段54a 、安全指令手段55a 、積算流量カウントリセット手段56a が内部構成されている。
前記循環可能水位判定手段51a の機構、作用等は前記第１の実施の形態で既述した循環可能水位判定手段51と同じである。
前記判定基準流量値演算手段52a は風呂落とし込みが異常であるか否かの判定をするための判定基準流量値を演算する手段で、判定基準流量値演算手段52a による判定基準流量値の演算は、落とし込み異常であると判定されなかった場合（即ち落とし込みが正常に行なわれた場合）における一定水位の上昇、例えば2.5 cm上昇するのに要した検出積算流量値を、最近のものから過去に逆上る複数回分、例えば５回分採用し、これらの平均値を学習値とし、この学習値に余裕値として一定流量値、例えば５リットル程度の少ない流量値を加えて、判定基準流量値を演算する。前記一定水位の上昇は浴槽水位センサ34からの情報により得ることができ、その一定水位の上昇に要する検出積算流量値は落とし込み流量センサ45からの情報によって得ることができる。
演算された判定基準流量値は判定基準流量値記憶手段53a に記憶させる。
第２の実施の形態において、当初における判定基準流量値の演算には、一定水位の上昇に要した検出積算流量値として複数個の仮の値を与えておく必要がある。この仮の値は例え大きい値を採用しておいても、落とし込み運転を重ねてゆくことで、前記複数回の正常な落とし込みが行われた後にはその浴槽に適切な判定基準流量値が演算されることになる。前記一定水位の上昇の値、余裕値としての一定流量値、初期値として与える仮の値については、予め実験によって適当な値を決めることができる。
前記落とし込み異常判定手段54a は、前記浴槽水位センサ34による水位情報を受けつつ、判定基準流量値記憶手段53a からの判定基準流量値と、前記落とし込み流量センサ45により検出される落とし込み積算流量値との大小を比較し、浴槽水位が一定水位上昇する前に落とし込み積算流量値が判定基準流量値以上になった場合には、落とし込み異常と判定する。
前記安全指令手段55a は、前記第１の実施の形態における安全指令手段55と同じ機能、作用を行う。
積算流量カウントリセット手段56a は落とし込み流量センサ45によって検出した流量の積算をリセットする手段である。
【００１８】
図５のフローチャートに従って、本発明の第２の実施の形態による風呂落とし込み異常の監視装置の制御例を説明する。
図５において、ステップＳ11〜Ｓ14までは、従来の風呂落とし込み異常監視の方法を採用しているが、これを図３のステップＳ１〜Ｓ４と代えてもよい。本第２の実施の形態による風呂落とし込み異常の監視の重要点はステップＳ15〜Ｓ18までにある。
今、リモコン60の図示しない自動落とし込み運転スイッチがオンすることで、自動落とし込み運転が開始されると、コントローラ50の指令により落とし込み電磁弁47が開放され、落とし込み給湯が開始され、コントローラ50の図示しないタイマーがスタートされる（ステップＳ11）。
コントローラ50は、タイマーからの積算時間と、循環可能水位判定手段51a による判定とから、予め定めた一定の制限時間、例えば30分が経過する前に浴槽水位が追い焚き循環可能水位以上になるか否かを監視し（ステップＳ12、Ｓ13）、前記制限時間が経過しても追い焚き循環可能水位以上にならない場合（ステップＳ12でイエス、ステップＳ13でノー）には、落とし込み異常と判定する。そして落とし込み給湯を停止させ、また落とし込み異常の表示をさせる（ステップＳ14）。
以上は従来の方法と同じであり、繰り返すが、図３におけるステップＳ１〜Ｓ４のフローと代えてもよい。
次に、前記制限時間が経過するまでに浴槽水位が追い焚き循環可能水位以上になった場合（ステップＳ12でノー、ステップＳ13でイエス）には、コントローラ50は積算流量カウントリセット手段56a により流量の積算を新たに開始させると共に浴槽水位センサ34による水位検出を開始させる（ステップＳ15）。そして、落とし込み流量センサ45によって検出された積算流量値が判定基準流量値以上になるか否かが落とし込み異常判定手段54a で判定され（ステップＳ16）、否の場合（ステップＳ16でノー）は更にまた浴槽水位が予め定められた一定水位以上上昇したか否かが判定される（ステップＳ17）。即ち、落とし込み異常判定手段54a は、積算流量値が判定基準流量値以上になるか否を判定すると共に浴槽水位が予め定められた一定水位以上上昇したか否かの判定を行い、さらに浴槽水位が一定以上上昇していないのに積算流量値が判定基準流量値以上である場合には（ステップＳ16でイエス、Ｓ17でノー）、落とし込み異常と判定する。落とし込み異常と判定されると、安全指令手段55a によって落とし込み電磁弁47に閉止指令がなされ且つリモコン60に落とし込み異常の表示指令がなされることで、落とし込み給湯が停止され且つ落とし込み異常表示がなされる（ステップＳ14）。
一方、落とし込み異常判定手段54a で落とし込み異常と判定されなかった場合（Ｓ16でノー、Ｓ17でイエス）には、判定基準流量値演算手段52a により、その落とし込みでの一定水位上昇するまでに要した積算流量値を新たに取り入れて、判定基準流量値を演算し、その値を判定基準流量値記憶手段53a に記憶させる（ステップＳ18）。
その後、前記判定基準流量値の演算や記憶手続きとは別に、浴槽水位センサ34が設定水位以上を検出するか否かを監視し（ステップＳ19）、以上となれば（ステップＳ19でイエス）、落とし込み給湯運転を終了する（ステップＳ20）。
【００１９】
図６、図７を参照して、本発明の風呂落とし込み異常監視装置の第３の実施の形態を説明する。図６は、コントローラ50の内部構成の内、風呂落とし込み異常監視装置に係る構成を示すブロック図で、循環可能水位判定手段51b 、判定基準時間演算手段52b 、判定基準時間記憶手段53b 、落とし込み異常判定手段54b 、安全指令手段55b 、積算流量カウントリセット手段56b 、タイマー手段57b が内部構成されている。
前記循環可能水位判定手段51b の機構、作用等は前記第１の実施の形態で既述した循環可能水位判定手段51と同じである。
前記判定基準時間演算手段52b は風呂落とし込みが異常であるか否かの判定をするための判定基準時間を演算する手段で、判定基準時間演算手段52b による判定基準時間の演算は、落とし込み異常であると判定されなかった場合（即ち落とし込みが正常に行なわれた場合）における一定水位の上昇、例えば2.5 cm上昇するのに要した検出時間を、最近のものから過去に逆上る複数回分、例えば５回分採用し、これらの平均値を学習値とし、この学習値に余裕値として一定時間値、例えば１分程度の少ない時間を加えて、判定基準時間を演算する。前記一定水位の上昇は浴槽水位センサ34からの情報により得ることができ、その一定水位の上昇に要する時間はタイマー手段57b からの情報によって得ることができる。
演算された判定基準時間は判定基準時間記憶手段53b に記憶させる。
第３の実施の形態において、当初における判定基準時間演算には、一定水位の上昇に要した検出時間として複数個の仮の値を与えておく必要がある。この仮の値は例え大きい値を採用しておいても、落とし込み運転を重ねてゆくことで、前記複数回の正常な落とし込みが行われた後にはその浴槽に適切な判定基準時間が演算されることになる。前記一定水位の上昇の値、余裕値としての一定時間、初期値として与える仮の値については、予め実験によって適当な値を決めることができる。
前記落とし込み異常判定手段54b は、前記浴槽水位センサ34による水位情報を受けつつ、判定基準時間記憶手段53b からの判定基準時間と、浴槽水位が追い焚き循環可能水位に達した後における積算落とし込み時間との大小を比較し、水位が一定水位上昇する前に積算落とし込み時間が判定基準時間以上になった場合には、落とし込み異常と判定する。前記浴槽水位が追い焚き循環可能水位に達した後における積算落とし込み時間は、前記タイマー手段57b によりカウントされる。
前記安全指令手段55b は、前記第１の実施の形態における安全指令手段55と同じ機能、作用を行う。
前記積算流量カウントリセット手段56b は第２の実施の形態における積算流量カウントリセット手段56a と同じで、落とし込み流量センサ45によって検出した流量の積算をリセットする手段である。
前記タイマー手段57b は、運転開始から浴槽水位が追い焚き循環可能水位になるまでの落とし込み時間を積算し、また浴槽水位が追い焚き循環可能水位になった後における落とし込み時間を新たに積算する手段である。
【００２０】
図７のフローチャートに従って、本発明の第３の実施の形態による風呂落とし込み異常の監視装置の制御例を説明する。
図７において、ステップＳ31〜Ｓ34までは、従来の風呂落とし込み異常監視の方法を採用しているが、これを図３のステップＳ１〜Ｓ４と代えてもよい。本第３の実施の形態による風呂落とし込み異常の監視の重要点はステップＳ35〜Ｓ38までにある。
今、リモコン60の図示しない自動落とし込み運転スイッチがオンすることで、自動落とし込み運転が開始されると、コントローラ50の指令により落とし込み電磁弁47が開放され、落とし込み給湯が開始され、コントローラ50のタイマー手段57b による落とし込み時間の積算のタイマーがスタートされる（ステップＳ31）。
コントローラ50は、タイマー手段57b からの積算時間と、循環可能水位判定手段51b による判定とから、予め定めた一定の制限時間、例えば30分が経過する前に浴槽水位が追い焚き循環可能水位以上になるか否かを監視し（ステップＳ32、Ｓ33）、前記制限時間が経過しても追い焚き循環可能水位以上にならない場合（ステップＳ32でイエス、ステップＳ33でノー）には、落とし込み異常と判定する。そして落とし込み給湯を停止させ、また落とし込み異常の表示をさせる（ステップＳ34）。
以上は従来の方法と同じであり、繰り返すが、図３におけるステップＳ１〜Ｓ４のフローと代えてもよい。
次に、前記制限時間が経過するまでに浴槽水位が追い焚き循環可能水位以上になった場合（ステップＳ32でノー、ステップＳ33でイエス）には、コントローラ50は、タイマー手段57b により落とし込み時間の新たな積算を開始すると共に積算流量カウントリセット手段56b により積算流量のカウントを新たに開始し、且つ浴槽水位センサ34による水位検出を開始させる（ステップＳ35）。そして、タイマー手段57b によってカウントされた積算落とし込み時間が判定基準時間以上になるか否かが落とし込み異常判定手段54b で判定され（ステップＳ36）、否の場合（ステップＳ36でノー）は更にまた浴槽水位が予め定められた一定水位以上上昇したか否かが判定される（ステップＳ37）。即ち、落とし込み異常判定手段54b は、積算落とし込み時間が判定基準時間以上になるか否かを判定する共に浴槽水位が予め定められた一定水位以上上昇したか否かの判定を行い、さらに浴槽水位が一定以上上昇していないのに積算流量値が判定基準流量値以上である場合には（ステップＳ36でイエス、Ｓ37でノー）、落とし込み異常と判定する。落とし込み異常と判定されると、安全指令手段55b によって落とし込み電磁弁47に閉止指令がなされ且つリモコン60に落とし込み異常の表示指令がなされることで、落とし込み給湯が停止され且つ落とし込み異常表示がなされる（ステップＳ34）。
一方、落とし込み異常判定手段54b で落とし込み異常と判定されなかった場合（Ｓ36でノー、Ｓ37でイエス）には、判定基準時間演算手段52b により、その落とし込みでの一定水位が上昇するまでに要した積算落とし込み時間を新たに取り入れて、判定基準時間を演算し、その値を判定基準時間記憶手段53b に記憶させる（ステップＳ38）。
その後、前記判定基準時間の演算や記憶手続きとは別に、浴槽水位センサ34が設定水位以上を検出するか否かを監視し（ステップＳ39）、以上となれば（ステップＳ39でイエス）、落とし込み給湯運転を終了する（ステップＳ40）。
【００２１】
【発明の効果】
本発明は以上の構成よりなり、請求項１に記載の風呂落とし込み異常監視装置によれば、落とし込みが追い焚き循環可能水位以上になった後においても、さらに多量の落とし込みを行ってしまうことなく、落とし込み異常の有無を確実に判定することができる。
また請求項２に記載の風呂落とし込み異常監視装置によれば、落とし込みが追い焚き循環可能水位以上になった後においても、さらに長い落とし込み時間の経過による多量の落とし込みを行ってしまう前に、落とし込み異常の有無を確実に判定することができる。
また請求項３に記載の風呂落とし込み異常監視装置によれば、上記請求項１又は２に記載の構成による作用、効果に加えて、落とし込み異常判定手段により落とし込み異常と判定された場合には、安全指令手段により直ちに落とし込みを停止することができるので、それ以上の無駄な落とし込みを自動的に無くすことができる。また落とし込み異常表示が直ちになされるので、使用者は落とし込み異常を直ぐに知ることができると共にそれに対する対策を速やかに行うことができる。
【図面の簡単な説明】
【図１】本発明の風呂落とし込み異常監視装置を用いた給湯装置の全体構成図である。
【図２】本発明の風呂落とし込み異常監視装置の第１の実施の形態に係るコントローラ内の制御構成を示すブロック図である。
【図３】本発明の風呂落とし込み異常監視装置の第１の実施の形態に係る制御例を示すフローチャートである。
【図４】本発明の風呂落とし込み異常監視装置の第２の実施の形態に係るコントローラ内の制御構成を示すブロック図である。
【図５】本発明の風呂落とし込み異常監視装置の第２の実施の形態に係る制御例を示すフローチャートである。
【図６】本発明の風呂落とし込み異常監視装置の第３の実施の形態に係るコントローラ内の制御構成を示すブロック図である。
【図７】本発明の風呂落とし込み異常監視装置の第３の実施の形態に係る制御例を示すフローチャートである。
【符号の説明】
10  浴槽
11  排水栓
12  循環金具
20  給湯器
30  風呂釜
33  追い焚き用循環路
34  浴槽水位センサ
44  風呂自動落とし込み給湯路
45  落とし込み流量センサ
47  落とし込み電磁弁
50  コントローラ
60  リモコン
【図１】
0003674185.tif 000002
【図２】
0003674185.tif 000003
【図３】
0003674185.tif 000004
【図４】
0003674185.tif 000005
【図５】
0003674185.tif 000006
【図６】
0003674185.tif 000007
【図７】
0003674185.tif 000008